(57)【要約】【課題】狭額縁化が可能な照明装置及びそれを組み込んだ電子機器を提供する。【解決手段】液晶パネルと、前記液晶パネルを照明する照明装置と、を備え、前記照明装置は、前記液晶パネルに対向する第１主面と、第１側面と、前記第１側面の反対側の第２側面と、前記第１側面において前記第１側面から前記第２側面に向かって窪んだ凹部と、前記凹部により露出し前記第２側面に対向する第３側面と、を有する導光板と、前記第１側面に対向する複数の第１光源と、前記凹部内に位置し前記第３側面に対向する複数の第２光源と、を備え、前記第２光源は前記第１光源より発光面が小さい電子機器。【選択図】  図３
2020204730.tif 000002
【特許請求の範囲】
【請求項１】
液晶パネルと、
前記液晶パネルを照明する照明装置と、を備え、
前記照明装置は、
前記液晶パネルに対向する第１主面と、第１側面と、前記第１側面の反対側の第２側面と、前記第１側面において前記第１側面から前記第２側面に向かって窪んだ凹部と、前記凹部により露出し前記第２側面に対向する第３側面と、を有する導光板と、
前記第１側面に対向する複数の第１光源と、
前記凹部内に位置し前記第３側面に対向する複数の第２光源と、を備え、
前記第２光源は前記第１光源より発光面が小さい電子機器。
【請求項２】
前記照明装置は、さらに、前記第２光源からの光の波長を変換する波長変換素子を備え、
前記波長変換素子は、前記第２光源と前記第３側面との間に位置している請求項１に記載の電子機器。
【請求項３】
前記照明装置は、さらに、第１方向に延出する第１実装部と、前記第１方向に交差する方向に延出し前記第３側面に対向する第２実装部と、を有する配線基板を備え、
前記第１光源は前記第１実装部に実装され、
前記第２光源は前記第２実装部に実装されている請求項１に記載の電子機器。
【請求項４】
前記第２光源は、前記第３側面に対向する前記発光面を有する発光ダイオードである請求項３に記載の電子機器。
【請求項５】
前記照明装置は、さらに、前記導光板、前記第１光源及び前記第２光源を収容するケースを備え、
前記導光板は、前記第１主面の反対側の第２主面を有し、
前記ケースは、前記第２主面に対向する底部と、前記底部から突出した突出部を有し、
前記第２実装部は、前記突出部と前記第３側面との間に位置している請求項３に記載の電子機器。
【請求項６】
前記照明装置は、さらに、前記第２実装部と前記突出部との間に位置し、前記第２実装部を前記突出部に固定するテープを備えている請求項５に記載の電子機器。
【請求項７】
さらに、受光素子を備え、
前記底部は、前記受光素子が設けられた開口部を有し、
前記突出部は、前記底部の反対側に位置する端部を有し、前記受光素子と前記第１光源との間及び前記受光素子と前記第２光源との間に延出し、前記開口部を囲み、
前記第１光源及び前記第２光源は、それぞれ前記端部と前記底部との間に位置している請求項５に記載の電子機器。
【発明の詳細な説明】
【技術分野】
【０００１】
本発明の実施形態は、電子機器に関する。
【背景技術】
【０００２】
近年、表示部及びカメラを同一面側に備えたスマートフォン等の電子機器が広く実用化されている。このような電子機器では、カメラが表示部の外側に設けられており、カメラを設置するためのスペースを確保する一方で、表示部の外側の額縁幅を縮小する要望が高まっている。  
【先行技術文献】
【特許文献】
【０００３】
【特許文献１】特開２０１７−４０９０８号公報
【発明の概要】
【発明が解決しようとする課題】
【０００４】
本実施形態の目的は、狭額縁化が可能な照明装置及びそれを組み込んだ電子機器を提供することにある。
【課題を解決するための手段】
【０００５】
本実施形態によれば、
液晶パネルと、前記液晶パネルを照明する照明装置と、を備え、前記照明装置は、前記液晶パネルに対向する第１主面と、第１側面と、前記第１側面の反対側の第２側面と、前記第１側面において前記第１側面から前記第２側面に向かって窪んだ凹部と、前記凹部により露出し前記第２側面に対向する第３側面と、を有する導光板と、前記第１側面に対向する複数の第１光源と、前記凹部内に位置し前記第３側面に対向する複数の第２光源と、を備え、前記第２光源は前記第１光源より発光面が小さい電子機器が提供される。
【図面の簡単な説明】
【０００６】
【図１】図１は、一実施形態の照明装置を備えた電子機器の一構成例を示す分解斜視図である。
【図２】図２は、図１に示した照明装置の平面図である。
【図３】図３は、図２に示したＡ−Ｂ線に沿った電子機器の断面図である。
【図４】図４は、図２に示したＣ−Ｄ線に沿った電子機器の断面図である。
【図５】図５は、図１に示した液晶パネルの一構成例を示す平面図である。
【図６】図６は、図５に示した液晶パネルの断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、一実施形態の照明装置ＩＬを備えた電子機器１００の一構成例を示す分解斜視図である。  
図１に示すように、第１方向Ｘ、第２方向Ｙ、及び、第３方向Ｚは、互いに直交しているが、９０度以外の角度で交差していてもよい。
【０００９】
照明装置ＩＬは、導光板ＬＧと、光源ＥＭ１と、光源ＥＭ２と、ケースＣＳと、を備えている。このような照明装置ＩＬは、例えば、図１において破線で簡略化して示す液晶パネルＰＮＬを照明するものである。
【００１０】
導光板ＬＧは、第１方向Ｘ及び第２方向Ｙによって規定されるＸ−Ｙ平面と平行な略平板状に形成されている。導光板ＬＧは、主面ＦＡ及びＦＢと、側面ＳＦ１乃至ＳＦ５と、斜面ＳＬ１と、凹部ＮＴと、を有している。主面ＦＡ及びＦＢは、Ｘ−Ｙ平面に平行な面である。主面ＦＢは、主面ＦＡの反対側に位置し、液晶パネルＰＮＬに対向している。側面ＳＦ１乃至ＳＦ３は、第１方向Ｘ及び第３方向Ｚによって規定されるＸ−Ｚ平面と平行な面である。側面ＳＦ２は、側面ＳＦ１の反対側に位置している。図示した例では、第３方向Ｚにおいて、側面ＳＦ１は側面ＳＦ２より大きい。凹部ＮＴは、側面ＳＦ１において側面ＳＦ１から側面ＳＦ２に向かって窪んだ凹部である。図示した例では、凹部ＮＴは主面ＦＢから主面ＦＡまで貫通しているノッチである。側面ＳＦ３は、凹部ＮＴにより露出し、側面ＳＦ２に対向している面である。側面ＳＦ４及びＳＦ５は、第２方向Ｙ及び第３方向Ｚによって規定されるＹ−Ｚ平面と平行な面である。斜面ＳＬ１は、側面ＳＦ１と主面ＦＢとの間に位置し、第２方向Ｙ及び第３方向Ｚのそれぞれに傾いている面である。
【００１１】
配線基板Ｆ１は、第１実装部ＦＭ１及びＦＭ２と、第２実装部ＦＣと、を有している。第１実装部ＦＭ１及びＦＭ２は、例えばＸ−Ｙ平面と平行であり、第１方向Ｘに延出している。第１実装部ＦＭ１及びＦＭ２は、第３方向Ｚにおいて、側面ＳＦ１に重なっている。第２実装部ＦＣは、例えばＸ−Ｚ平面と平行であり、第３方向Ｚに延出している。第２実装部ＦＣは、第１実装部ＦＭ１と第１実装部ＦＭ２との間に位置している。第２実装部ＦＣは、第３方向Ｚにおいて、凹部ＮＴに重なっている。配線基板Ｆ１は、例えば、折り曲げ可能なフレキシブルプリント基板である。
【００１２】
複数の光源ＥＭ１は、第１方向Ｘに間隔をおいて並んでいる。光源ＥＭ１の各々は、それぞれ第１実装部ＦＭ１及びＦＭ２に実装され、配線基板Ｆ１と電気的に接続されている。複数の光源ＥＭ２は、第１方向Ｘに間隔をおいて並んでいる。光源ＥＭ２の各々は、第２実装部ＦＣに実装され、配線基板Ｆ１と電気的に接続されている。光源ＥＭ１及びＥＭ２は、例えば発光ダイオード（ＬＥＤ）である。第１実装部ＦＭ１及びＦＭ２と第２実装部ＦＣとが一体的に形成されている場合、各光源ＥＭ１に接続される配線と各光源ＥＭ２に接続される配線とは異なるため、配線基板は二系統の配線を備えている。また、第２実装部ＦＣは第１実装部ＦＭ１及びＦＭ２とは別個に形成されてもよく、この場合光源ＥＭ１及びＥＭ２はそれぞれ異なる配線基板に実装される。
【００１３】
ケースＣＳは、導光板ＬＧ、光源ＥＭ１及びＥＭ２を収容している。ケースＣＳは、例えば、ステンレスなどの金属によって形成されている。ケースＣＳは、壁部Ｗ１乃至Ｗ６と、底部ＢＰと、開口部ＯＰと、突出部ＰＰと、を有している。
【００１４】
壁部Ｗ１乃至Ｗ３は、それぞれ第１方向Ｘに沿って延出している。壁部Ｗ３は、壁部Ｗ１と壁部Ｗ２との間に位置している。壁部Ｗ４は、第１方向Ｘに沿って延出し、壁部Ｗ１乃至Ｗ３に対向している。壁部Ｗ５及びＷ６は、第２方向Ｙに沿って延出し、互いに対向している。壁部Ｗ５は壁部Ｗ１に繋がり、壁部Ｗ６は壁部Ｗ２に繋がり、壁部Ｗ４は壁部Ｗ５及びＷ６に繋がっている。底部ＢＰは、例えばＸ−Ｙ平面に平行な面である。底部ＢＰは、主面ＦＡに対向している。開口部ＯＰは、底部ＢＰを第３方向Ｚに沿って貫通した貫通孔である。開口部ＯＰは、第３方向Ｚにおいて、凹部ＮＴに重なっている。突出部ＰＰは、底部ＢＰから第３方向Ｚに突出し、開口部ＯＰを囲むように形成されている。突出部ＰＰは、高さＰＨを有し、底部ＢＰの反対側に位置する端部ＰＴを有している。高さＰＨは、第３方向Ｚにおいて、底部ＢＰから端部ＰＴまでの長さに相当する。図示した例では、突出部ＰＰは壁部Ｗ３に形成されているが、ケースＣＳに壁部Ｗ３がない場合、突出部ＰＰは壁部Ｗ１及びＷ２のそれぞれに連続するよう形成されてもよい。
【００１５】
このような照明装置ＩＬを組み込んだ電子機器１００は、受光素子ＰＡを備えている。受光素子ＰＡは、第３方向Ｚにおいて、開口部ＯＰに重なるように設けられている。受光素子ＰＡは、配線基板Ｆ２に実装され、配線基板Ｆ２に電気的に接続されている。
【００１６】
本実施形態において、受光素子ＰＡは、一例としてカメラである。なお、受光素子ＰＡは、一例として、可視光を検出するもの、赤外線を検出するもの、検出対象物の近接をセンシングする近接センサ、検出対象物から反射された赤外線を検出する検出素子などや、それぞれを組み合わせたものでもよい。電子機器１００は、受光素子ＰＡの代わりに、又は受光素子ＰＡに加えて、発光素子を備えていてもよい。この発光素子としては、検出対象物に向けて赤外線を投射する投射素子が挙げられる。また、電子機器１００は、受光素子ＰＡの代わりに、又は受光素子ＰＡに加えて、マイクやスピーカーなどを備えてもよい。
【００１７】
図２は、図１に示した照明装置ＩＬの平面図である。なお、図１に示した配線基板Ｆ１の図示を省略している。  
図２に示すように、照明装置ＩＬは、さらに、フレームＦＲを備えている。フレームＦＲは、壁部Ｗ１と側面ＳＦ１との間、壁部Ｗ５と側面ＳＦ５との間、壁部Ｗ４と側面ＳＦ２との間、壁部Ｗ６と側面ＳＦ４との間及び壁部Ｗ２と側面ＳＦ１との間のそれぞれに延出している。なお、フレームＦＲは、側面ＳＦ３と突出部ＰＰとの間には設けられていない。突出部ＰＰは、光源ＥＭ１と受光素子ＰＡとの間及び光源ＥＭ２と受光素子ＰＡとの間に延出している。
【００１８】
光源ＥＭ１は、側面ＳＦ１に対向し、フレームＦＲから離れている。光源ＥＭ２は、平面視で、凹部ＮＴ内に位置し、側面ＳＦ３に対向している。光源ＥＭ２は、側面ＳＦ３及び突出部ＰＰのそれぞれから離れている。側面ＳＦ１及び側面ＳＦ３は、側面ＳＦ２に対向している。
【００１９】
光源ＥＭ１は、第１方向Ｘに沿った長さ１Ｘと、第２方向Ｙに沿った長さ１Ｙと、を有している。光源ＥＭ２は、第１方向Ｘに沿った長さ２Ｘと、第２方向Ｙに沿った長さ２Ｙと、を有している。一例として、長さ２Ｘ及び２Ｙは、それぞれ約０．３ｍｍ以下である。長さ２Ｘは長さ１Ｘより小さく、長さ２Ｙは長さ１Ｙより小さい。光源ＥＭ２は、光源ＥＭ１より小さい。隣り合う光源ＥＭ２同士の間隔Ｐ２は、隣り合う光源ＥＭ１同士の間隔Ｐ１より小さい。間隔Ｐ１及びＰ２は、第１方向Ｘに沿った長さあるいは距離に相当する。
【００２０】
図３は、図２に示したＡ−Ｂ線に沿った電子機器１００の断面図である。ここでは、受光素子ＰＡ、配線基板Ｆ２を含む第２方向Ｙに沿った電子機器１００の断面を示している。  
図３に示すように、照明装置ＩＬは、さらに、両面テープＤＦ１及びＤＦ２と、反射シートＲＳと、拡散シートＳＳと、プリズムシートＰＳ１乃至ＰＳ３と、波長変換素子ＴＳと、スペーサＳＰ１と、を備えている。
【００２１】
第２実装部ＦＣ、両面テープＤＦ１、光源ＥＭ２、波長変換素子ＴＳ及びプリズムシートＰＳ１は、それぞれ凹部ＮＴに位置している。
【００２２】
第２実装部ＦＣ及び両面テープＤＦ１は、光源ＥＭ２と突出部ＰＰとの間に位置している。両面テープＤＦ１は、例えば、両面に粘着面を有する両面テープである。両面テープＤＦ１は、突出部ＰＰ及び第２実装部ＦＣのそれぞれに粘着している。第２実装部ＦＣは、両面テープＤＦ１によって、突出部ＰＰに固定されている。第２実装部ＦＣは、突出部ＰＰと側面ＳＦ３との間に位置している。第２実装部ＦＣは、光源ＥＭ２が実装される実装面Ｍ２を有している。実装面Ｍ２は、側面ＳＦ３に対向している。
【００２３】
波長変換素子ＴＳ及びプリズムシートＰＳ１は、光源ＥＭ２と導光板ＬＧの側面ＳＦ３との間に位置している。波長変換素子ＴＳは、光源ＥＭ２から照射された光を吸収して吸収した光の波長よりも長波長の光を発光するものである。プリズムシートＰＳ１は、波長変換素子ＴＳによって変換された光を第２方向Ｙの矢印の向きに集光するものである。波長変換素子ＴＳは、発光材料として、例えば量子ドットを含むが、これに限らず、蛍光や燐光を発するものを含んでいてもよい。
【００２４】
一例では、光源ＥＭ２は、紫外線波長の光（励起光）を出射する。波長変換素子ＴＳは、励起光を吸収して、青色、緑色、及び、赤色にそれぞれ発光し、白色の照明光を生成する。  
他の例では、光源ＥＭ２は、青色波長の光（励起光）を出射する。波長変換素子ＴＳは、励起光を吸収して黄色に発光する。したがって、変換光である黄色光と、無変換光である青色光とが混合された白色の照明光が生成される。  
なお、光源ＥＭ２が白色光を出射する場合、波長変換素子ＴＳは設けなくてもよい。
【００２５】
光源ＥＭ２は、側面ＳＦ３に対向する発光面Ｌ２を有している。図示した例では、光源ＥＭ２は、実装面Ｍ２と発光面Ｌ２とが対向するフロントビュー型のＬＥＤである。光源ＥＭ２は、第３方向Ｚにおいて、主面ＦＡと主面ＦＢとの間に位置している。一例として、光源ＥＭ２のバンプと第２実装部ＦＣの端子との間に導電粒子を含む導電性接着剤を介在させた状態で、光源ＥＭ２と第２実装部ＦＣとが互いに近づくように加圧し、加熱することで、光源ＥＭ２のバンプと第２実装部ＦＣの端子とが電気的及び物理的に接続されている。
【００２６】
反射シートＲＳ、導光板ＬＧ、拡散シートＳＳ、プリズムシートＰＳ２及びＰＳ３は、第３方向Ｚに沿ってこの順に配置されている。反射シートＲＳは、底部ＢＰに設けられている。図示した例では、反射シートＲＳは、第２実装部ＦＣ、波長変換素子ＴＳ、プリズムシートＰＳ１、及び導光板ＬＧの主面ＦＡのそれぞれに接し、光源ＥＭ２と底部ＢＰとの間に延出している。拡散シートＳＳは主面ＦＢに設けられている。プリズムシートＰＳ１及びＰＳ２は、拡散シートＳＳの上に積層されている。
【００２７】
スペーサＳＰ１は、拡散シートＳＳと両面テープＤＦ２との間に位置している。両面テープＤＦ２は、照明装置ＩＬと液晶パネルＰＮＬとを貼り合せるものである。両面テープＤＦ２は、突出部ＰＰ、スペーサＳＰ１、プリズムシートＰＳ３のそれぞれに接している。両面テープＤＦ２は、壁部Ｗ３には接していない。
【００２８】
受光素子ＰＡは、壁部Ｗ３と突出部ＰＰとの間に位置している。受光素子ＰＡは、例えば、少なくとも一つのレンズを含む光学系２と、イメージセンサ（撮像素子）３と、ケース４と、を備えている。ケース４は、光学系２及びイメージセンサ３を収容している。イメージセンサ３は、光学系２と配線基板Ｆ２との間に位置している。
【００２９】
図４は、図２に示したＣ−Ｄ線に沿った電子機器１００の断面図である。  
図４に示すように、照明装置ＩＬは、さらに、スペーサＳＰ２と、スペーサＳＰ３とを備えている。導光板ＬＧは、面ＦＥを有している。面ＦＥは例えばＸ−Ｙ平面であり、側面ＳＦ１及び斜面ＳＬ１のそれぞれに繋がっている。斜面ＳＬ１は、主面ＦＢ及び面ＦＥのそれぞれに繋がっている。
【００３０】
第１実装部ＦＭ２は、光源ＥＭ１が実装される実装面Ｍ１を有している。光源ＥＭ１は高さＥＨ１を有している。高さＥＨ１は、第３方向Ｚにおいて、底部ＢＰから実装面Ｍ１までの長さに相当する。高さＥＨ１は図１に示した高さＰＨより低い。つまり、光源ＥＭ１は第３方向Ｚにおいて、底部ＢＰと端部ＰＴとの間に位置している。図示した例では、光源ＥＭ１は、主面ＦＡと面ＦＥとの間に位置している。光源ＥＭ１は、側面ＳＦ１に対向する発光面Ｌ１を有している。発光面Ｌ１は側面ＳＦ１に接している。図示した例では、光源ＥＭ１は、実装面Ｍ１と発光面Ｌ１とが直交しているサイドビュー型のＬＥＤである。光源ＥＭ１は、例えば、配線基板Ｆ１にはんだ付けされている。
なお、光源ＥＭ１の高さＥＨ１は、導光板ＬＧの厚さ（第３方向Ｚにおける主面ＦＡと主面ＦＢとの間隔）よりも大きい。また、高さＥＨ１は、第３方向Ｚにおいて光源ＥＭ２の高さよりも高い。さらに、光源ＥＭ１の発光面Ｌ１の面積は光源ＥＭ２の発光面Ｌ２の面積よりも広く形成されている。言い換えると、光源ＥＭ２の発光面Ｌ２は、光源ＥＭ１の発光面Ｌ１より小さい。
【００３１】
フレームＦＲは、底部ＢＰの上に設けられ、光源ＥＭ１に対向し、壁部Ｗ１に接している。スペーサＳＰ２はフレームＦＲと第１実装部ＦＭ２との間に位置し、スペーサＳＰ３は第１実装部ＦＭ２と両面テープＤＦ２との間に位置している。第１実装部ＦＭ２は、面ＦＥ及び斜面ＳＬ１のそれぞれに接している。反射シートＲＳは、光源ＥＭ１と底部ＢＰとの間に延出している。両面テープＤＦ２は、フレームＦＲ、スペーサＳＰ３、スペーサＳＰ１及びプリズムシートＰＳ３のそれぞれに接している。
【００３２】
本実施形態によれば、複数の光源ＥＭ１は側面ＳＦ１に対向し、複数の光源ＥＭ２は凹部ＮＴに設けられ、側面ＳＦ３に対向している。光源ＥＭ１から出射された光は、側面ＳＦ１から導光板ＬＧに入射し、導光板ＬＧ内を第２方向Ｙに沿って側面ＳＦ１から側面ＳＦ２に向かって進行する。光源ＥＭ２から出射された光は、側面ＳＦ３から導光板ＬＧに入射し、導光板ＬＧ内を第２方向Ｙに沿って側面ＳＦ３から側面ＳＦ２に向かって進行する。光源ＥＭ１から出射された光は側面ＳＦ１と側面ＳＦ２との間の領域を伝播し、光源ＥＭ２から出射された光は側面ＳＦ３と側面ＳＦ２との間の領域を伝播する。これにより、照明装置ＩＬの入光側（導光板ＬＧが光源と対向する側）において、導光板ＬＧに凹部ＮＴを設けたことに起因する照明光の輝度の不均一性を緩和することができる。
【００３３】
また、導光板ＬＧの入光側（側面ＳＦ１）に凹部ＮＴを設けることができたため、凹部ＮＴによる空間（壁部Ｗ３と突出部ＰＰとの間）に受光素子、マイク、スピーカー等を配置することができる。
【００３４】
また、突出部ＰＰは、受光素子ＰＡが設けられた開口部ＯＰを囲み、受光素子ＰＡと光源ＥＭ１との間及び受光素子ＰＡと光源ＥＭ２との間に延出している。光源ＥＭ１及びＥＭ２は底部ＢＰと突出部ＰＰの端部ＰＴとの間に位置している。これにより、突出部ＰＰは光源ＥＭ１及びＥＭ２から受光素子ＰＡへの光を遮蔽するため、受光素子ＰＡが起動時に、受光素子ＰＡが光源ＥＭ１及びＥＭ２のそれぞれから出射された照明光の影響を受けることを抑制することができる。
【００３５】
また、光源ＥＭ２は光源ＥＭ１より小さいため、光源ＥＭ２を凹部ＮＴに設けたことによる照明装置ＩＬの額縁幅の拡大を抑制することができ、照明装置ＩＬの狭額縁化ができる。
【００３６】
また、光源ＥＭ１及びＥＭ２は、同一の配線基板Ｆ１に実装されている。光源ＥＭ１及びＥＭ２を、それぞれ別々の配線基板に実装する場合と比較して、部材点数を削減することができ、製造コストの削減が可能となる。
【００３７】
本実施形態において、光源ＥＭ１は第１光源に相当し、光源ＥＭ２は第２光源に相当し、主面ＦＢは第１主面に相当し、主面ＦＡは第２主面に相当し、側面ＳＦ１は第１側面に相当し、側面ＳＦ２は第２側面に相当し、側面ＳＦ３は第３側面に相当する。
【００３８】
図５は、図１に示した液晶パネルＰＮＬの一構成例を示す平面図である。  
図５に示すように、液晶パネルＰＮＬは、第１基板ＳＵＢ１と、第２基板ＳＵＢ２と、液晶層ＬＣと、シールＳＥと、を備えている。第１基板ＳＵＢ１及び第２基板ＳＵＢ２は、Ｘ−Ｙ平面と平行な平板状に形成されている。第１基板ＳＵＢ１及び第２基板ＳＵＢ２は、平面視で、重畳している。第１基板ＳＵＢ１及び第２基板ＳＵＢ２は、シールＳＥによって接着されている。液晶層ＬＣは、第１基板ＳＵＢ１と第２基板ＳＵＢ２との間に保持され、シールＳＥによって封止されている。図５において、液晶層ＬＣ及びシールＳＥは、異なる斜線で示している。
【００３９】
液晶パネルＰＮＬは、画像を表示する表示部ＤＡと、表示部ＤＡを囲む額縁状の非表示部ＮＤＡと、を備えている。シールＳＥは、非表示部ＮＤＡに位置している。表示部ＤＡは、第１方向Ｘ及び第２方向Ｙにマトリクス状に配列された画素ＰＸを備えている。
【００４０】
図５において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと電気的に接続されている。信号線Ｓは、第２方向Ｙに並んだ画素ＰＸの各々におけるスイッチング素子ＳＷと電気的に接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。容量ＣＰは、例えば、共通電極ＣＥと同電位の電極、及び、画素電極ＰＥと同電位の電極の間に形成される。
【００４１】
配線基板Ｆ３は、第１基板ＳＵＢ１の実装部ＭＡに実装され、電気的に接続されている。ＩＣチップ１は、配線基板Ｆ３に実装され、配線基板Ｆ３に電気的に接続されている。なお、ＩＣチップ１は、実装部ＭＡに実装され、実装部ＭＡに電気的に接続されていてもよい。ＩＣチップ１は、例えば、画像表示に必要な信号を出力するディスプレイドライバなどを内蔵している。
【００４２】
図６は、図５に示した液晶パネルＰＮＬの断面図である。  
図６に示すように、第１基板ＳＵＢ１は、絶縁基板１０と、絶縁層１１及び１２と、共通電極ＣＥと、画素電極ＰＥと、配向膜ＡＬ１とを備えている。なお、図５に示した走査線Ｇ、信号線Ｓ及びスイッチング素子ＳＷは、例えば、絶縁基板１０と共通電極ＣＥとの間に位置している。絶縁基板１０は、ガラス基板や可撓性の樹脂基板などの透明基板である。絶縁層１１は、絶縁基板１０の上に位置している。共通電極ＣＥは、絶縁層１１の上方に位置し、絶縁層１２によって覆われている。画素電極ＰＥは、絶縁層１２の上に位置し、配向膜ＡＬ１によって覆われている。画素電極ＰＥの各々は、絶縁層１２を介して、共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。画素電極ＰＥは、線状電極であり、共通電極ＣＥは、複数の画素ＰＸに亘って共通に設けられた平板状の電極である。なお、画素電極ＰＥを平板状の電極とし、画素電極ＰＥと液晶層ＬＣとの間に線状の共通電極を設ける構造であってもよい。配向膜ＡＬ１は、液晶層ＬＣに接している。絶縁層１１は、詳述しないが、無機絶縁層及び有機絶縁層を含んでいる。絶縁層１２は、例えば、シリコン窒化物等の無機絶縁層である。
【００４３】
第２基板ＳＵＢ２は、絶縁基板２０と、カラーフィルタＣＦと、遮光層ＢＭと、透明層ＯＣと、配向膜ＡＬ２とを備えている。絶縁基板２０は、ガラス基板や可撓性の樹脂基板などの透明基板である。カラーフィルタＣＦ、遮光層ＢＭ、及び、透明層ＯＣは、絶縁基板２０と液晶層ＬＣとの間に位置している。配向膜ＡＬ２は、液晶層ＬＣに接している。透明層ＯＣは、カラーフィルタＣＦ及び遮光層ＢＭを覆っている。透明層ＯＣは、例えば、透明な有機絶縁層である。なお、図示した例では、カラーフィルタＣＦは、第２基板ＳＵＢ２に設けられたが、第１基板ＳＵＢ１に設けられてもよい。カラーフィルタＣＦは、赤カラーフィルタＣＦＲ、緑カラーフィルタＣＦＧ、及び、青カラーフィルタＣＦＢを含んでいる。緑カラーフィルタＣＦＧは、画素電極ＰＥと対向している。赤カラーフィルタＣＦＲ及び青カラーフィルタＣＦＢも、それぞれ図示しない他の画素電極ＰＥと対向している。
【００４４】
偏光板ＰＬ１、液晶パネルＰＮＬ及び偏光板ＰＬ２は、第３方向Ｚに沿ってこの順に配置され、第３方向Ｚに沿って進行する光に対して、光学的なスイッチ機能を備えた液晶素子ＬＣＤを構成している。偏光板ＰＬ１は絶縁基板１０に接着され、偏光板ＰＬ２は絶縁基板２０に接着されている。
【００４５】
ここでは、基板主面に沿った横電界を利用する表示モードに対応した液晶パネルＰＮＬについて説明したが、これに限らず、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの液晶パネルＰＮＬであってもよい。ここでの基板主面とは、Ｘ−Ｙ平面と平行な面である。
【００４６】
以上説明したように、本実施形態によれば、狭額縁化が可能な照明装置及びそれを組み込んだ電子機器を提供することができる。
【００４７】
なお、本実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４８】
１００…電子機器  ＰＮＬ…液晶パネル  ＩＬ…照明装置  ＬＧ…導光板
ＦＡ、ＦＢ…主面  ＳＦ…側面  ＮＴ…凹部  ＥＭ…光源  Ｍ１、Ｍ２…実装面
Ｌ１、Ｌ２…発光面  ＴＳ…波長変換素子  Ｆ…配線基板  ＦＭ…第１実装部
ＦＣ…第２実装部  ＣＳ…ケース  ＢＰ…底部  ＰＰ…突出部  ＤＦ…両面テープ
【図１】
2020204730.tif 000003
【図２】
2020204730.tif 000004
【図３】
2020204730.tif 000005
【図４】
2020204730.tif 000006
【図５】
2020204730.tif 000007
【図６】
2020204730.tif 000008